(57)【特許請求の範囲】
【請求項１】
回路基板と、この回路基板の裏面側に装着され前記回路基板を貫通して前方に延びる回動軸を有する計器本体と、前記回動軸の先端側に固着される指針と、この指針の後方に配置され前記指針の動作に対応する表示部を有する表示板と、この表示板の後方に配置される拡散板と、前記回動軸周囲の前記回路基板に配置される光源と、前記表示板と前記回路基板との間に配置されるケース部材とを備え、前記ケース部材は前記拡散板と前記光源との間に前記回動軸を取り巻くように前記光源と対向して配置される第１の反射部と、前記拡散板と前記回路基板との間に前記光源を取り巻くように配置される第２の反射部とを有し、前記拡散板は中心側が前記第１の反射部に、周縁側が前記第２の反射部に保持されていることを特徴とする計器装置
【請求項２】
前記拡散板を前記表示板との間に空間を設けて配置したことを特徴とする請求項１に記載の計器装置。
【発明の詳細な説明】
【０００１】
【発明の属する技術分野】
本発明は、例えば車両に搭載される計器装置に関し、特に表示板の後方に拡散板を備えた計器装置に関するものである。
【０００２】
【従来の技術】
この種の計器装置は、回路基板１を貫通して前方に延びる駆動軸２を有する計器本体３を回路基板１の裏面側に導通固定し、駆動軸２の先端側に指針４を装着し、この指針４と回路基板１との間に前面パネル５（表示板）を配置し、駆動軸２周囲の回路基板１上に光源６，６２を配置し、前面パネル５と回路基板１との間に第１の反射部７５と第２の反射部７７を有する反射体７を配置したものである（例えば、特許文献１参照）。なお、上述した符号は特許文献１で用いられている符号である。
【０００３】
この様な構成において、光源６，６２が発光すると、その照明光の一部は反射体７の第１の反射部７５に反射して第２の反射部７７側に導かれ、第２の反射部７７に到達した照明光は第２の反射部７７に反射して更に前面パネル５側に導かれて、前面パネル５に設けられた表示部５２が明るくしかも均一に透過照明されるものである。
【０００４】
【特許文献１】
特開２００１−９９６８５号公報（図４、図７）
【０００５】
【発明が解決しようとする課題】
しかしながら、前記従来例において透過照明可能な表示部を指針４を構成するカバー４２周囲の前面パネル５（表示板）箇所にも設けた場合、あるいは光源６，６２が点灯した際に表示部５２を除いた地色部５１が透過して表示部５２がシルエットで視認されるように前面パネル５を形成した場合に、光源６，６２を点灯させることによって、カバー４２周囲の表示部あるいはカバー４２周囲の地色部５１箇所に第１の反射部７５の影が発生して明るく均一に透過照明しないといった事象が生じる。
【０００６】
本発明はこの様な点に鑑みなされたもので、表示板のほぼ全面を均一に透過照明可能な計器装置を提供することを目的とする。
【０００７】
【課題を解決するための手段】
本発明は前記課題を解決するため、回路基板と、この回路基板の裏面側に装着され前記回路基板を貫通して前方に延びる回動軸を有する計器本体と、前記回動軸の先端側に固着される指針と、この指針の後方に配置され前記指針の動作に対応する表示部を有する表示板と、この表示板の後方に配置される拡散板と、前記回動軸周囲の前記回路基板に配置される光源と、前記表示板と前記回路基板との間に配置されるケース部材とを備え、前記ケース部材は前記拡散板と前記光源との間に前記回動軸を取り巻くように前記光源と対向して配置される第１の反射部と、前記拡散板と前記回路基板との間に前記光源を取り巻くように配置される第２の反射部とを有し、前記拡散板は中心側が前記第１の反射部に、周縁側が前記第２の反射部に保持されているものである。
【０００８】
また、前記拡散板を前記表示板との間に空間を設けて配置したものである。
【００１０】
【発明の実施の形態】
本発明を車両用の計器装置を実施形態として説明する。図１は計器装置の断面を示し、図２は表示板の部分断面を示す。図３は計器装置に備えられる拡散板の正面図であり、図４は拡散板がケース部材に保持された状態を示す部分断面詳細図である。
【００１１】
計器装置は、回路基板１と、この回路基板１の裏面側に回路基板１と導通状態で装着され、回路基板１を貫通して前方に延びる回動軸２を有する例えば回転計用の計器本体３と、回動軸２の先端側に固着される指針軸４を有する指針５と、この指針５の後方に配置され指針５の動作に対応する表示部６を設けた表示板７と、この表示板７の後方に配置される拡散板８と、回動軸２周囲の回路基板１上に配置された光源としての発光ダイオード９と、表示板７と回路基板１との間に配置されたケース部材１０とを備えている。
【００１２】
また、回路基板１の裏面側を覆うカバー１１と、表示板７の前方側に配置され表示板７の可視領域を定める開口部１２を有する覆い部材１３と、指針５や表示板７などの前方側を覆う無色透明な透視板１４を備えている。１５は計器本体３を構成する部品の一部である本体枠（図示せず）から延設された中空状の筒部であり、回動軸２が挿通され、筒部１５の先端側で回動軸２を支持している。
【００１３】
指針５は、指針軸４と一体形成された例えば赤色の合成樹脂からなる指示部１６と、この指示部１６の基部（指針軸４の上方）周囲を覆う黒色の合成樹脂からなる指針キャップ１７を備えている。この指針５は指針軸４を計器本体３の回動軸２の先端側に圧入することによって計器本体３に固着されている。
【００１４】
表示板７には、指針５の指示部１６の指示対象となる例えば車両のエンジン回転数を現す目盛，数字などの表示部６が設けてある。この表示板７は図２に示す様に、無色透明な基板１８の表面に例えば白色の透過性着色層１９を印刷して地部２０を形成し、この地部２０の表面に例えば黒色の表示層２１を印刷して表示部６を形成する。また、表面側には透過性着色層１９および表示層２１を保護すると共に、外光による反射を抑えるための無色透明な保護層２２が設けてある。
【００１５】
回路基板１は硬質な基板からなり、裏面側に計器本体３が導通状態で装着され、この計器本体３を駆動する電子部品（図示せず）などとともに、回動軸２周囲には表示板７を透過照明するための例えば白色で発光する発光ダイオード９が実装されている。
【００１６】
ケース部材１０は遮光性のある白色の合成樹脂からなり、拡散板８と発光ダイオード９との間に回動軸２（筒部１５）を取り巻くように発光ダイオード９と対向して配置される第１の反射部２３と、拡散板８と回路基板１との間に発光ダイオード９を取り巻くように配置される第２の反射部２４を備えている。第１の反射部２３には第１の反射面２５が設けてあり、この第１の反射面２５は発光ダイオード９から受けた光を第２の反射部２４側に反射させる（導く）ように、回路基板１面に対しておおよそ４５度に傾斜させてある。
【００１７】
第２の反射部２４には、第１の反射面２５で反射した光を拡散板８側に反射させるように第２の反射面２６が設けてある。この第２の反射面２６は発光ダイオード９の近くは回路基板１と平行な平面であるが、発光ダイオード９から遠ざかるに従って、回路基板１側から拡散板８の周囲側に接近するように傾斜した曲面（傾斜曲面）としてある。この傾斜した面は曲面に限らず平面でも良い。あるいは平面と曲面を組み合わせたものでも良い。なお、第１の反射部２３と第２の反射部２４とは図示しない箇所で連結されて一体となっている。
【００１８】
また、本実施形態におけるケース部材１０には、第１の反射部２３の前方（表示板７）側に指針軸４あるいは回動軸２を取り巻くように円形の筒状部２７が一体に設けてある。この筒状部２７の先端側には表示板７の貫通孔周縁が支持される第１の載置面２８が設けてある。また、筒状部２７は第１の反射部２３と連なっており、筒状部２７より径大である第１の反射部２３には第２の載置面２９が設けてある。また、ケース部材１０には前面部３０を備えており、表示板７は第１の載置面２８と前面部３０とに載置されて保持されている。この様に、ケース部材１０は発光ダイオード９の光を反射させる反射部材であるとともに、表示板７を保持する保持部材としての役目も果たしている。
【００１９】
透過性の乳白材からなる拡散板８は、図３に示す様に中央部にケース部材１０の筒状部２７の外径とほぼ一致する丸穴３１を有する略ドーナツ状としてある。また、丸穴３１の周縁部には１個の溝孔３２が設けてある。この溝孔３２に筒状部２７の周囲に設けた突起（図示せず）が挿入されて拡散板８の回り止め（回転方向の位置決め）となるものである。
【００２０】
拡散板８の表示板７側の表面にはシボ（微細な凹凸）が施してある。このシボは表示板７の裏面側でも良いし、シボに代えて、例えば微粒子が混入された透明または半透明層を印刷または塗布するようにしても良く、要は拡散板８内に入射した光が拡散されて出射されるような処理が施されていれば良い。また、図示しないが裏面側には白色の透過層が印刷してある。また、周縁には３個の舌片３３が突設してある。
【００２１】
図４は拡散板８がケース部材１０に保持された状態を示す。拡散板８は丸穴３１周縁が第２の載置面２９に載置され、本実施形態の場合は両面接着テープ（図示せず）によって第２の載置面２９に固着されている。また、拡散板８の周縁に突設した舌片３３は第２の反射部２４に設けた支持穴３４内に挿入され、舌片３３の表面側が支持穴３４の切り口面３５に接している。この様に拡散板８は中心側が第１の反射部２３に設けた第２の載置面２９によって保持され、周縁側が第２の反射部２４に設けた支持穴３４に保持された状態でケース部材１０に装着されている。
【００２２】
この様に構成された計器装置において、夜間時あるいは薄暮時に発光ダイオード９を点灯させることによって、照明光は第１の反射面２５で反射して第２の反射部２４側に向かい、第２の反射面２６で反射して拡散板８側に向かう。そして、拡散板８の裏面を照射した光は裏面側に設けられた白色印刷層で反射する光と、拡散板８を透過する光に分けられ、透過した光は表示板７の裏面を照射する。光が拡散板８を透過する際、拡散板８が透過性の乳白材であることに加え、表面にシボが設けてあることによって光は拡散されて表示板７側に向かう。
【００２３】
一方、白色印刷層で反射した光は第２の反射面２６で反射して拡散板８側に向かい、反射を繰り返すか、拡散板８を透過する。なお、全ての光が拡散板８を透過した後表示板７に向かうものではなく、第２の反射面２６で反射した光が拡散板８と第２の反射部２４との隙間を抜けて表示板７側に向かう光もある。
【００２４】
上述した様に、表示板７側に向かった光は表示板７の裏面全体をほぼ均一に照射する。従って、表示板７の地部２０が白色でほぼ均一に透過照明され、表示部６が黒色で（シルエットとして）表示される。また、指針５も背後から明るい光を受けてシルエットとして視認される。この様に、拡散板８が乳白材であることと、拡散板８に設けたシボとによって発光ダイオード９からの照明光は拡散されて表示板７全体を照射するようになる。よって、第１の反射部２３を設けてあることによって影となり易い指針キャップ１７周囲も明るく透過照明させることが可能である。
【００２５】
また、拡散板８と表示板７との間に空間を設けたことにより、表示板７と拡散板８とが密接している状態に比べて、拡散板８から出射された光はより離れた表示板７裏面箇所まで届くようになる（広範囲にわたって照射可能となる）。従って、表示板７のほぼ全面を均一に透過照明させるにはより効果的である。なお、表示板７の地部２０は全面を透過させる必要はなく、任意の領域を不透過としても良い。
【００２６】
また、拡散板８の中心側を第１の反射部２３に、周縁側を第２の反射部２４に保持させることにより、拡散板８をばたつかせることなく、また別部材を使うこともなくケース部材１０に装着することができる。なお、拡散板８の大きさ（形状）は任意である。つまり、表示板７全体の照明を考慮した上で拡散板８の大小（形状）を決めればよく、大きさが小さい場合には周縁側を第２の反射部２４に保持させる必要はない。また、拡散板８を第１の反射部２３や第２の反射部２４に保持する際の保持方法は任意である。
【００２７】
なお、本実施形態においては指針５がシルエットで視認されるように構成したが、指針５照明用の光源を配置して、指針５の指示部１６が光源の光で発光するように構成しても良い。また、発光ダイオード９が点灯した際、表示板７の地部２０が白色で透過照明して表示部６がシルエットで視認されるように形成したが、地部が不透過で表示部が透過するように形成しても良い。その場合、指針キャップ１７の周辺に表示部が設けてあっても、表示板７のほぼ全面が明るく均一に透過可能に構成してあるため、良好な表示部照明が可能である。
【００２８】
また、本実施形態において拡散板８を透過性の乳白材として、拡散作用が増すようにしたが透明材としても良い。また、拡散板８の裏面側に白色の透過層を印刷したが必ずしも設ける必要はない。また、拡散板８の裏面に、拡散板８内に入射される光量を調整するために網点などによる調光用印刷を施すことによって、より均一な透過照明が得られるようにしても良い。
【００２９】
【発明の効果】
以上詳述したように、本発明によれば、表示板のほぼ全面を均一に透過照明可能な計器装置を提供することができる。
【図面の簡単な説明】
【図１】本発明の実施形態を示す計器装置の断面図。
【図２】同実施形態の表示板を示す部分断面図。
【図３】同実施形態の拡散板を示す正面図。
【図４】同実施形態の拡散板がケース部材に保持された状態を示す部分断面図。
【符号の説明】
１  回路基板
２  回動軸
３  計器本体
５  指針
６  表示部
７  表示板
８  拡散板
９  発光ダイオード（光源）
１０  ケース部材
２３  第１の反射部
２４  第２の反射部
２５  第１の反射面
２６  第２の反射面
【図１】
0003633917.tif 000002
【図２】
0003633917.tif 000003
【図３】
0003633917.tif 000004
【図４】
0003633917.tif 000005